(57)【要約】【課題】プロテクタを閉じる作業を容易に行え、かつ、プロテクタを閉じた状態でのプロテクタのがたつき、ずれを抑制できるようにすることを目的とする。【解決手段】プロテクタ１０は、合体可能な第１本体部２０と第２本体部３０とを含む。第１本体部２０に受側係止部４０が設けられ、第２本体部３０に挿入側係止部５０が設けられる。挿入側係止部５０は、方形板状の係止本体部５２を含み、受側係止部４０は、係止本体部５２の幅よりも大きな間隔をあけて設けられ、間に係止本体部５２を配設可能な一対の側部４２を含む。第２本体部３０に、第１本体部２０と第２本体部３０とが合体した状態で、一対の側部４２の一方側の外面に当接する当接部６０が設けられている。【選択図】図４
2013258846.tif 000002
【特許請求の範囲】
【請求項１】
ワイヤーハーネスを保護するプロテクタであって、
合体可能な第１本体部と第２本体部とを含み、前記第１本体部と前記第２本体部とが合体した状態でそれらの間に前記ワイヤーハーネスを収容可能な収容空間を形成する本体部と、
前記第１本体部に設けられた受側係止部と、
前記第２本体部に設けられ、前記受側係止部に対して挿入係止可能な挿入側係止部と、
を備え、
前記挿入側係止部は、方形板状の係止本体部を含み、
前記受側係止部は、前記係止本体部の幅よりも大きな間隔をあけて設けられ、間に前記係止本体部を配設可能な一対の側部を含み、
前記挿入側係止部及び前記受側係止部の一方側に係止突部が設けられると共に、他方側に前記係止突部を係止可能な係止凹部が設けられ、
前記第２本体部に、前記第１本体部と前記第２本体部とが合体した状態で、前記一対の側部の一方側の外面に当接する当接部が設けられている、プロテクタ。
【請求項２】
請求項１記載のプロテクタであって、
前記一対の側部の前記一方側の前記外面は、前記第１本体部と前記第２本体部との合体状態で、前記係止本体部の挿入方向に沿った外向き面に形成され、
前記当接部に、前記第１本体部と前記第２本体部との合体状態で、前記係止本体部の挿入方向に沿った当接面が形成されている、プロテクタ。
【請求項３】
請求項１又は請求項２記載のプロテクタであって、
前記当接部は、自己の一部を前記一対の側部の前記一方側の前記外面から離す方向に変位させる弾性変形部を含む、プロテクタ。
【請求項４】
請求項１〜請求項３のいずれか１つに記載のプロテクタであって、
前記一対の側部の一方側の外面のうち前記当接部が接触し始める側の端部と、前記当接部のうち前記一対の側部の一方側の外面が当接し始める側の端部とのうち少なくとも一方に、その端部の先端側に向けて相手側の端部から離れる方向に向うガイド面が形成されている、プロテクタ。
【請求項５】
請求項１〜請求項４のいずれか１つに記載のプロテクタであって、
前記第１本体部が第１縁部を含み、
前記第２本体部が前記第１縁部と突合わされる第２縁部を含み、
前記受側係止部と前記挿入側係止部とが、前記第１縁部と前記第２縁部とに複数組設けられ、
前記複数組の前記受側係止部と前記挿入側係止部のうちの少なくとも２つの組に対応して、前記当接部が少なくとも２つ設けられ、
前記少なくとも２つの当接部は、前記第１縁部及び前記第２縁部の延在方向において異なる方向から、前記一対の側部の一方側の外面に当接する２つの当接部を含む、プロテクタ。
【請求項６】
請求項５記載のプロテクタであって、
前記複数組の前記受側係止部と前記挿入側係止部とは、前記第１縁部と前記第２縁部との両端部に設けられた２つの組を含み、
前記第１縁部と前記第２縁部との両端部に設けられた前記受側係止部と前記挿入側係止部との２つの組に対応して、前記当接部が２つ設けられ、
前記２つの当接部は、前記第１縁部と前記第２縁部との延在方向中間側から前記一対の側部の一方側の外面に当接する、プロテクタ。
【発明の詳細な説明】
【技術分野】
【０００１】
ワイヤーハーネスを保護する技術に関する。
【背景技術】
【０００２】
特許文献１に、ワイヤーハーネスを保護するプロテクタが開示されている。このプロテクタでは、ベースにメス型のロック部が設けられ、カバーにオス型のロック部が設けられている。メス型のロック部は、平行に形成された第１ガイド部と第２ガイド部との間に係止部が設けられ、ほぼＨ字型をなしている。オス型のロック部は、メス型のロック部に挿入される本体部と先端部とを有している。オス型のロック部は、メス型のロック部の第１ガイド部と第２ガイド部との間の空間にぴったりとおさまる大きさ、形状に形成されている。カバーのうち、オス型のロック部が形成される回転端部には、縁部分が形成されており、カバーがベースの開口部を閉じると、縁部分は、ベースの第１側壁部の上端部の外面に密着する。この縁部分の間に、オス型のロック部が設けられている。
【先行技術文献】
【特許文献】
【０００３】
【特許文献１】特開２００８−２２５９５号公報
【発明の概要】
【発明が解決しようとする課題】
【０００４】
しかしながら、特許文献１に開示の技術では、オス型のロック部をメス型のロック部に挿入する際の遊び空間がない。このため、カバーをベースに閉じる際に、オス型のロック部をメス型のロック部に挿入する作業が困難となる。ここで、仮に、オス型のロック部よりも、メス型のロック部の第１ガイド部と第２ガイド部との間の空間を大きくすれば、オス型のロック部をメス型のロック部に挿入できる。しかしながら、この場合、カバーをベースに閉じた状態で、プロテクタに捻れの力が作用すると、ベースに対するカバーのがたつき、或は、ずれが発生し易くなってしまう。
【０００５】
そこで、本発明は、プロテクタを閉じる作業を容易に行え、かつ、プロテクタを閉じた状態でのプロテクタのがたつき、ずれを抑制できるようにすることを目的とする。
【課題を解決するための手段】
【０００６】
上記課題を解決するため、第１の態様は、ワイヤーハーネスを保護するプロテクタであって、合体可能な第１本体部と第２本体部とを含み、前記第１本体部と前記第２本体部とが合体した状態でそれらの間に前記ワイヤーハーネスを収容可能な収容空間を形成する本体部と、前記第１本体部に設けられた受側係止部と、前記第２本体部に設けられ、前記受側係止部に対して挿入係止可能な挿入側係止部と、を備え、前記挿入側係止部は、方形板状の係止本体部を含み、前記受側係止部は、前記係止本体部の幅よりも大きな間隔をあけて設けられ、間に前記係止本体部を配設可能な一対の側部を含み、前記挿入側係止部及び前記受側係止部の一方側に係止突部が設けられると共に、他方側に前記係止突部を係止可能な係止凹部が設けられ、前記第２本体部に、前記第１本体部と前記第２本体部とが合体した状態で、前記一対の側部の一方側の外面に当接する当接部が設けられている。
【０００７】
第２の態様は、第１の態様に係るプロテクタであって、前記一対の側部の前記一方側の前記外面は、前記第１本体部と前記第２本体部との合体状態で、前記係止本体部の挿入方向に沿った外向き面に形成され、前記当接部に、前記第１本体部と前記第２本体部との合体状態で、前記係止本体部の挿入方向に沿った当接面が形成されている。
【０００８】
第３の態様は，第１又は第２の態様に係るプロテクタであって、前記当接部は、自己の一部を前記一対の側部の前記一方側の前記外面から離す方向に変位させる弾性変形部を含む。
【０００９】
第４の態様は、第１〜第３のいずれか１つの態様に係るプロテクタであって、前記一対の側部の一方側の外面のうち前記当接部が接触し始める側の端部と、前記当接部のうち前記一対の側部の一方側の外面が当接し始める側の端部とのうち少なくとも一方に、その端部の先端側に向けて相手側の端部から離れる方向に向うガイド面が形成されている。
【００１０】
第５の態様は、第１〜第４のいずれか１つの態様に係るプロテクタであって、前記第１本体部が第１縁部を含み、前記第２本体部が前記第１縁部と突合わされる第２縁部を含み、前記受側係止部と前記挿入側係止部とが、前記第１縁部と前記第２縁部とに複数組設けられ、前記複数組の前記受側係止部と前記挿入側係止部のうちの少なくとも２つの組に対応して、前記当接部が少なくとも２つ設けられ、前記少なくとも２つの当接部は、前記第１縁部及び前記第２縁部の延在方向において異なる方向から、前記一対の側部の一方側の外面に当接する２つの当接部を含む。
【００１１】
第６の態様は、第５の態様に係るプロテクタであって、前記複数組の前記受側係止部と前記挿入側係止部とは、前記第１縁部と前記第２縁部との両端部に設けられた２つの組を含み、前記第１縁部と前記第２縁部との両端部に設けられた前記受側係止部と前記挿入側係止部との２つの組に対応して、前記当接部が２つ設けられ、前記２つの当接部は、前記第１縁部と前記第２縁部との延在方向中間側から前記一対の側部の一方側の外面に当接する。
【発明の効果】
【００１２】
第１の態様によると、受側係止部の一対の側部は、前記係止本体部の幅よりも大きな間隔をあけて設けられているため、一対の側部間に係止本体部を容易に配設して、挿入側係止部を受側係止部に容易に挿入係止することができる。この際、当接部は、一対の側部の一方側の外面に当接するため、挿入側係止部を受側係止部に挿入する際の妨げとはなり難く、従って、挿入側係止部を受側係止部に容易に挿入係止することができる。このため、第１本体部と第２本体部とを合体させて、プロテクタを閉じる作業を容易に行える。また、プロテクタを閉じた状態では、当接部は、一対の側部の一方側の外面に当接するため、プロテクタを閉じた状態でのプロテクタのがたつき、ずれを抑制できる。
【００１３】
第２の態様によると、当接部の当接面をなるべく大きな面積で、前記一対の側部の前記一方側の前記外面に当接させることができる。これにより、当接部と一方側の側部との当接状態が安定化し、プロテクタを閉じた状態でのプロテクタのがたつき、ずれをより確実に抑制できる。
【００１４】
第３の態様によると、前記当接部は、自己の一部を前記一対の側部の前記一方側の前記外面から離す方向に変位させる弾性変形部を含むため、当接部と一方側の側部との接触開始時の干渉を有効に抑制できる。
【００１５】
第４の態様によると、前記一対の側部の一方側の外面のうち前記当接部が接触し始める側の端部と、前記当接部のうち前記一対の側部の一方側の外面が当接し始める側の端部とのうち少なくとも一方に、ガイド面が形成されているため、当接部と前記一対の側部の前記一方側とが干渉し難い。
【００１６】
第５の態様によると、前記第１縁部及び前記第２縁部の延在方向において異なる方向から、前記一対の側部の一方側の外面に当接する２つの当接部を含むため、第１縁部と第２縁部とがその延在方向に沿ってずれ難い。このため、プロテクタを閉じた状態でのプロテクタのがたつき、ずれを効果的に抑制できる。
【００１７】
第６の態様によると、前記第１縁部と前記第２縁部との両端部で、前記受側係止部と前記挿入側係止部とが挿入係止するため、第１本体部と第２本体部とを効果的に合体状態に保つことができる。また、前記２つの当接部は、前記第１縁部と前記第２縁部との延在方向中間側から前記一対の側部の一方側の外面に当接する位置に設けられるため、前記２つの当接部が破損し難い。
【図面の簡単な説明】
【００１８】
【図１】実施形態に係るプロテクタを開いた状態を示す平面図である。
【図２】同上のプロテクタを示す斜視図である。
【図３】同上のプロテクタを示す正面図である。
【図４】受側係止部、挿入側係止部及び当接部を示す正面図である。
【図５】受側係止部及び挿入側係止部及び当接部を示す底面図である。
【図６】図４のＶＩ−ＶＩ線断面図である。
【図７】挿入側係止部及び当接部を示す正面図である。
【図８】挿入側係止部及び当接部を示す底面図である。
【図９】受側係止部を示す正面図である。
【図１０】受側係止部を示す底面図である。
【図１１】変形例に係る当接部を示す正面図である。
【図１２】変形例に係る当接部を示す底面図である。
【発明を実施するための形態】
【００１９】
以下、実施形態に係るプロテクタについて説明する。図１はプロテクタ１０を開いた状態を示す平面図であり、図２はプロテクタ１０を示す斜視図であり、図３はプロテクタ１０を示す正面図である。このプロテクタ１０は、車両等に配索されるワイヤーハーネスＷＨを、周囲から保護すると共に経路維持するための部材である。
【００２０】
本プロテクタ１０は、樹脂等によって形成されており、本体部１２と、受側係止部４０と、挿入側係止部５０と、当接部６０とを備える。
【００２１】
本体部１２は、合体可能な第１本体部２０と第２本体部３０とを備える。第１本体部２０と第２本体部３０とが合体した状態で、それらの間にワイヤーハーネスＷＨを収容可能な収容空間が形成される。
【００２２】
ここで、ワイヤーハーネスＷＨは、複数の電線が束ねられたものであり、車両等に配索されて、各種電気部品同士を電気的に接続する配線材として用いられる。ワイヤーハーネスＷＨは、少なくとも１本の電線を含んでいればよい。ワイヤーハーネスＷＨは、通常分岐しているが、必ずしも分岐していなくてもよい。ワイヤーハーネスＷＨには、光ファイバケーブル等が含まれていてもよい。
【００２３】
本体部１２は、ワイヤーハーネスＷＨの少なくとも一部を保護可能な形状に形成されている。
【００２４】
ここでは、第１本体部２０は、底板部２２と、一対の側壁部２４、２６を備えている。底板部２２は、長方形板状の一側部の一端部を凹ませた形状に形成されている。底板部２２の上記一側部に側壁部２４が立設され、底板部２２の前記一側部に対向する他側部に側壁部２６が立設されている。ここでは、底板部２２の一側部は直線状に延びているので、側壁部２６も直線板状に延在している。これにより、上方及び外周部の２方向が開口する平たい箱状の第１本体部２０が形成される。
【００２５】
第２本体部３０は、天井部３２と、一対の側壁部３４、３６とを備えている。天井部３２は、上記底板部２２と同形状とされている。一対の側壁部３４、３６は、底板部２２の両側縁部に突設されている。一対の側壁部３４、３６は、上記一対の側壁部２４、２６よりも低い。つまり、第２本体部３０は、第１本体部２０より浅い扁平な箱状に形成される。従って、本体部１２を全体としてみると、第１本体部２０が容器の本体を構成しており、第２本体部３０が容器の蓋を構成していると見ることができる。もっとも、第１本体部２０及び第２本体部３０は、同じ深さであってもよいし、第１本体部２０が第２本体部３０よりも浅くてもよい。また、第２本体部３０が第１本体部２０の上方開口の一部を閉じるものであってもよい。また、上記第２本体部３０の側壁部３４、３６は省略されていてもよい。
【００２６】
また、第１本体部２０の側壁部２４の一部（底板部２２のうち凹んでいない部分に立設された部分）と、第２本体部３０の側壁部２６の同様の一部とは、ヒンジ部１４を介して連結されている。ヒンジ部１４は、第１本体部２０及び第２本体部３０よりも薄い部分であり、容易に弾性変形することができる。そして、第１本体部２０と第２本体部３０とを、ヒンジ部１４を介して開いた状態で、第１本体部２０内に容易にワイヤーハーネスＷＨを収容することができる。また、第１本体部２０と第２本体部３０とを、ヒンジ部１４を介して閉じることで、本体部２０内にワイヤーハーネスＷＨが収容される。この際、第２本体部３０の側壁部３４、３６は、ヒンジ部１４を中心にして回動し、第１本体部２０の側壁部２４、２６に突合わされる。特に、第２本体部３０の側壁部３６は、第１本体部２０の側壁部２６に対してその突設方向先端側より、第１本体部２０の側壁部３６に突合わされる。以下の説明において、第１本体部２０の側壁部２６の端縁部を第１縁部２７、第２本体部３０の側壁部３６の端縁部を、前記第１縁部３７に突合わされる第２縁部３７として、説明することがある。
【００２７】
第１本体部２０と第２本体部３０とを閉じた状態では、本体部２０は、一方側開口が他方側開口よりも幅広である、扁平な筒形状をなす。もっとも、本体部２０は、単純な筒形状をなすものであってもよし、また、ワイヤーハーネスＷＨの分岐形状に応じて複数箇所で開口していてもよい。また、第１本体部２０の開口を、複数の第２本体部３０で塞ぐものであってもよい。また、上記底板部２２及び天井部３２は、必ずしも平板状をなしている必要はなく、湾曲形状に形成されていてもよい。要するに、本体部２０は、ワイヤーハーネスＷＨの配線形状に応じてワイヤーハーネスＷＨを収容できる形状に形成されていればよい。
【００２８】
受側係止部４０は、第１本体部２０に設けられ、挿入側係止部５０は、第２本体部３０に設けられている。挿入側係止部５０は、受側係止部４０に対して挿入係止可能に構成されており、挿入側係止部５０が受側係止部４０に挿入係止することによって、第１本体部２０と第２本体部３０との合体状態が維持される。
【００２９】
ここでは、受側係止部４０と挿入側係止部５０との組合わせが、上記第１縁部２７及び第２縁部３７の延在方向に沿って間隔をあけて複数設けられている。より具体的には、受側係止部４０が第１縁部２７の両端部に設けられ、挿入側係止部５０が第２縁部３７の両端部に設けられている。つまり、２つの組の受側係止部４０と挿入側係止部５０とが、第１縁部２７と第２縁部３７との両端部に設けられている。
【００３０】
もっとも、受側係止部４０と挿入側係止部５０との組は、１組だけ設けられていてもよいし、より多数設けられていてもよい。また、受側係止部４０と挿入側係止部５０との組は、第１縁部２７及び第２縁部３７の両端部以外の場所に設けられていてもよい。
【００３１】
なお、受側係止部４０と挿入側係止部５０との組は、第１本体部２０の側壁部２４及び第２本体部３０の側壁部３４のうち、凹んでいてヒンジ部１４が設けられていない部分にも設けられている。
【００３２】
第１縁部２７及び第２縁部３７の一方側の端部（図２の左側端部）に設けられた、受側係止部４０と挿入側係止部５０との組合わせに着目して、より具体的に説明する。
【００３３】
図４〜図６は、挿入側係止部５０が受側係止部４０に挿入係止した状態を示す図であり、図７及び図８は挿入側係止部５０を示す図であり、図９及び図１０は受側係止部４０を示す図である。
【００３４】
挿入側係止部５０は、係止本体部５２と、係止突部５４とを備える。
【００３５】
係止本体部５２は、方形板状に形成されており、第２本体部３０の側壁部３６の外面から、当該側壁部３６の突出方向に沿って延出するように形成されている。係止本体部５２の先端部は、先端側に向けて内向き（第１本体部２０と第２本体部３０との合体状態で、側壁部２６側に向き）に傾斜する傾斜面５２ｇに形成されている。
【００３６】
係止突部５４は、係止本体部５２の先端部の外面に突設されている。ここでは、係止突部５４は、係止本体部５２の幅方向中間部で突出している。係止突部５４のうち、係止本体部５２の先端部側の部分は、上記傾斜面５２ｇに連続する傾斜面５４ｇに形成されている。
【００３７】
受側係止部４０は、一対の側部４２と、連結片４４とを備える。一対の側部４２は、第１本体部２０の側壁部２６の外面に、第１縁部２７の延在方向に間隔をあけて設けられている。各側部４２は、長尺形状に形成されており、側壁部２６の突設方向、即ち、第１本体部２０と第２本体部３０との合体状態で、側壁部２６から突出する挿入側係止部５０の突出方向に沿って設けられている。各側部４２のうち、それらの間に対して外側を向く面は、第１本体部２０と第２本体部３０との合体状態で、係止本体部５２の挿入方向に沿うと共に、側壁部２６の外面に対して直交する面に形成されている。第１縁部２７の延在方向において、一対の側部４２は、係止本体部５２の幅Ｗ２よりも大きな間隔Ｗ１をあけて設けられている。これにより、一対の側部４２間に、上記係止本体部５２を挿入して配設できるようになっている。
【００３８】
第１本体部２０と第２本体部３０との合体状態において、係止本体部５２は、一対の側部４２の間にそれら一対の側部４２に対して間隔をあけて設けられることが好ましい。この状態で、一対の側部４２に対する係止本体部５２の両側の隙間は、均等であること、即ち、一対の側部４２の中央部に係止本体部５２が設けられることがより好ましい。
【００３９】
連結片４４は、側壁部２６の外向き面に対して間隔をあけた位置で、一対の側部４２同士を連結している。連結片４４と側壁部２６との間隔は、係止本体部５２の厚みと同程度であるか、大きい（但し、係止本体部５２の厚み寸法に係止本体部５２の突出寸法を加算したよりは小さい）。
【００４０】
そして、一対の側部４２の一対の内面と、側壁部２６の外向き面と、連結片４４の内向き面とで囲まれた空間内に、上記係止本体部５２が挿入される。
【００４１】
また、上記連結片４４には、上記係止突部５４を係止可能な係止凹部４５が形成されている。より具体的には、第１縁部２７と第２縁部３７とを突合わせるまで、挿入側係止部５０を受側係止部４０に挿入した状態で、係止突部５４が配設される位置に、係止凹部４５が形成されている。
【００４２】
そして、挿入側係止部５０を受側係止部４０に挿入すると、係止突部５４の傾斜面５４ｇが連結片４４に接触して、当該連結片４４を外向きに湾曲させるように弾性変形させる。挿入側係止部５０をさらに押込み、係止突部５４が連結片４４を乗越え、係止凹部４５の位置に嵌り込むと、連結片４４が原形状に弾性復帰する。これにより、係止突部５４が連結片４４の係止凹部４５の部分に抜止め係止し、挿入側係止部５０と受側係止部４０との挿入係止状態が維持される。
【００４３】
なお、係止突部５４と係止凹部４５の形成例は上記例に限られない。挿入側係止部が側壁部の外面に係止する構成であってもよい。また、挿入側係止部に係止凹部が形成され、受側係止部に係止突部が形成されていてもよい。係止突部及び係止凹部の多様な例に鑑みると、上記連結片４４が形成されていることは必須ではない。
【００４４】
当接部６０は、上記第２本体部３０に設けられており、第１本体部２０と第２本体部３０とが合体した状態で、一対の側部４２の一方側の外面に当接可能に構成されている。
【００４５】
より具体的には、第２本体部３０の第２縁部３７の外面に、外向きに突出するようにして板状の基部３８が突設されている。基部３８は、一対の側部４２のうち第１縁部２７の中央よりの位置の側部４２の上方位置に。当該側部４２の延在方向に対して直交する姿勢で延在している。第１本体部２０と第２本体部３０とを合体させた状態で、基部３８の下面は、当該側部４２の上面に接触するようになっている。なお、基部３８には、当接部６０を容易に型抜きするための孔部３８ｈが形成されている。この孔３８ｈを利用することで、当接部６０を、スライド型等を用いなくても容易に形成することができる。
【００４６】
この基部３８の下面（側壁部２６側の面）から垂下状に伸びるように当接部６０が設けられている。当接部６０が設けられる位置は、前記一対の側部４２のうち第１縁部２７の中央よりの位置の側部４２よりも、さらに第１縁部２７（第２縁部３７）の中央よりの位置である。また、ここでは、当接部６０は、先端側に向けて（挿入側係止部５０の突出方向に向けて）、挿入側係止部５０側に傾斜するように伸びている。ここでは、当接部６０は、湾曲しつつ挿入側係止部５０側に傾斜しているが、直線状に延出しつつ挿入側係止部５０側に傾斜していてもよい。
【００４７】
当接部６０が変形していない自然な状態において、当接部６０の先端部の挿入側係止部５０側の部分は、第１本体部２０と第２本体部３０との合体状態で、一対の側部４２のうち第１縁部２７の中央よりの位置の側部４２の外面に位置している。また、当接部６０のうち少なくとも基端側の部分６０ａは、弾性変形可能であり、従って、当接部６０の先端部は、一対の側部４２のうち第１縁部２７の中央よりの位置の側部４２の外面に対して退避方向に変位できるようになっている。つまり、当接部６０のうち少なくとも基端側の部分６０ａは、当接部６０の先端部を、一対の側部４２の前記一方側の側部４２の外面から退避させる方向に変位させる弾性変形部として機能する。
【００４８】
また、当接部６０のうち前記一方側の側部４２が当接し始める側の端部、即ち、当接部６０の端部には、その先端側に向けて相手側である側部４２の端部から離れる方向（挿入側係止部５０から離れる方向）に向うガイド面６０ｇが形成されている。ここでは、ガイド面６０ｇは、当接部６０の端部のうち前記一方側の側部４２側のコーナー部を丸めた形状に形成されている。
【００４９】
これにより、当接部６０を一方側の側部４２に当接させる際に、当接部６０の端部と一方側の側部の端部（上型の端部）との干渉が抑制されるようになっている。
【００５０】
上記当接部６０は、第１縁部２７及び第２縁部３７に設けられた、受側係止部４０と挿入側係止部５０との少なくとも２つの組合わせに対して設けられている。そして、少なくとも２つの当接部６０が、第１縁部２７及び第２縁部３７の延在方向において異なる方向から、一対の側部４２の一方側の外面に当接するようになっている。
【００５１】
ここでは、上記当接部６０は、第１縁部２７及び第２縁部３７の両端部に設けられた、受側係止部４０と挿入側係止部５０との２つの組合わせに対して設けられている。そして、２つの当接部６０が、第１縁部２７と第２縁部３７との延在方向中間側から一対の側部４２の一方側の外面に当接するようになっている。
【００５２】
上記プロテクタ１０を合体させる作業について説明する。
【００５３】
すなわち、第１本体部２０内にワイヤーハーネスＷＨを配設した状態で、ヒンジ部１４周りに第２本体部３０を回動させ、第１本体部２０上に第２本体部３０を閉じる。
【００５４】
すると、側壁部２６上に側壁部３６が近接し、第１縁部２７と第２縁部３７とが突合わされるようになる。この際、挿入側係止部５０が受側係止部４０に挿入される。一対の側部４２間の間隔Ｗ１は、係止本体部５２の幅Ｗ２よりも大きいので、挿入側係止部５０を受側係止部４０に挿入し始める際及びその挿入途中状態において、一対の側部４２に対して係止本体部５２が傾いていたとしても、一対の側部４２と係止本体部５２との干渉は抑制され、従って、挿入側係止部５０を受側係止部４０に円滑に挿入することができる。
【００５５】
その挿入途中で、当接部６０が、一対の側部４２のうち前記一方側の側部４２の外面に接触する。当接部６０が当該側部４２に接触し始める初期段階において、当接部６０が一方画の側部４２の外面よりも受側係止部４０の中央よりに位置している場合には、ガイド面６０ｇが側部４２に接触し、当接部６０が、その先端部を外側に変位させるように弾性変形する。
【００５６】
挿入側係止部５０を受側係止部４０にさらに挿入すると、当接部６０の先端部は、一対の側部４２のうち前記一方側の側部４２の外面に接触しながら、当該側面に沿って移動する。
【００５７】
挿入側係止部５０が受側係止部４０に挿入係止した状態、即ち、第１本体部２０と第２本体部３０とが合体した状態では、当接部６０の先端部は、前記一方側の側部４２の外面に接触した状態に維持される。この際、第１本体部２０と第２本体部３０とが正確な状態で合体していると、当接部６０は、原形状に弾性復帰している。
【００５８】
この状態では、第１縁部２７及び第２縁部３７の左端側の当接部６０は、左端側の一対の側部４２の右側の側部の外面（右向き面）に当接している。このため、第１縁部２７及び第２縁部３７の延在方向において、第１縁部２７に対して第２縁部３７が左側にずれることが抑制されている。一方、第１縁部２７及び第２縁部３７の右端側の当接部６０は、上記とは反対方向から、即ち、右端側の一対の側部４２の左側の側部の外面（左向き面）に当接している。このため、第１縁部２７及び第２縁部３７の延在方向両方向において、第１縁部２７に対して第２縁部３７が右側にずれることが抑制されている。
【００５９】
以上のように構成されたプロテクタ１０によると、受側係止部４０の一対の側部４２は、係止本体部５２の幅Ｗ２よりも大きな間隔Ｗ１をあけて設けられている。このため、一対の側部４２間に係止本体部５２を容易に配設して、挿入側係止部５０を受側係止部４０に容易に挿入係止することができる。この際、当接部６０は、一方側の側部４２の外面に当接するため、挿入側係止部５０を受側係止部４０に挿入る際の妨げとはなり難い。このため、第１本体部２０と第２本体部３０とを容易に合体させて、プロテクタ１０を閉じる作業を容易に行える。
【００６０】
また、プロテクタ１０を閉じた状態では、当接部６０は、一方側の側部の外面に当接するため、プロテクタ１０を閉じた状態で、プロテクタ１０のがたつき、ずれを有効に抑制できる。しかも、当接部６０は、本体部１２の収容空間の外側に設けられるため、当該収容空間を圧迫したり、ワイヤーハーネスＷＨに干渉したりしない。
【００６１】
また、当接部６０は、先端部を、一方側の側部４２の外面から離す方向に変位させる弾性変形可能な部分６０ａを含むため、当接部６０の先端部を前記一方側の側部４２の外面から退避させる方向に変位させることができ、当接部６０と一方側の側部４２との接触開始時の干渉を有効に抑制できる。
【００６２】
さらに、当接部６０には、ガイド面６０ｇが形成されているため、当接部６０と一方側の側部４２の外面との接触開始時に、ガイド面６０ｇが前記外面に当接することで、当接部６０とガイド面６０ｇとの突き当りが抑制され、両者が円滑に接触を開始する。これにより、当接部６０と一方側の側部４２との干渉を有効に回避して、プロテクタ１０を円滑に閉じることができる。
【００６３】
なお、一方側の側部４２の外面のうち、当接部６０と接触し始める側の端部（上端部）が、その先端側に向けて相手側の当接部６０の端部から離れる方向に向うガイド面に形成されていてもよい。
【００６４】
また、第１縁部２７及び第２縁部３７の両端部に２つの当接部６０が設けられ、２つの当接部６０が第１縁部２７及び第２縁部３７の延在方向において異なる方向から、一方側の側部４２の外面に当接するため、第１縁部２７と第２縁部３７とがその延在方向に沿ってずれ難い。このため、プロテクタ１０を閉じた状態で、ヒンジ部１４の位置、第１本体部２０に対する第２本体部３０の回動軌跡、挿入側係止部５０及び受側係止部４０の設置位置等による影響をなるべく排除して、プロテクタ１０のがたつき、ずれをより効果的に抑制できる。
【００６５】
特に、第１縁部２７及び第２縁部３７の延在方向において、２つの当接部６０だけを、異なる方向から一方側の側部４２の外面に当接させれば、第１縁部２７と第２縁部３７とのずれを抑制できるため、なるべく少ない突起構造で、プロテクタ１０のがたつき、ずれをより効果的に抑制できる。
【００６６】
しかも、挿入側係止部５０と受側係止部４０との組合わせが、第１縁部２７と第２縁部３７の両端部に設けられているため、これらの間に他のロック構造がなくても、第１本体部２０と第２本体部３０とを効果的に合体状態に保つことができる。また、２つの当接部６０が、第１縁部２７及び第２縁部３７の延在方向中間部から一方側の側部４２の外面に当接するため、細くなりがちな２つの当接部６０が破損し難い。
【００６７】
また、第１縁部２７及び第２縁部３７のより外側に近い位置で、挿入側係止部５０と受側係止部４０とにより、第１本体部２０と第２縁部３７との合体状態を維持できるため、それらの口開きを有効に抑制できる。
【００６８】
図１１及び図１２は変形例に係る当接部１６０を示す図である。
【００６９】
この当接部１６０は、当接本体部１６２と、傾斜部１６４とを備える。
【００７０】
当接本体部１６２は、基部３８から当該基部３８に対して垂直姿勢で延出している。この当接本体部１６２のうち一方側の側部４２の外面に対向する面は、第１本体部２０と第２本体部３０との合体状態で、係止本体部５２の挿入方向に沿うと共に、側壁部２６の外面に対して直交する当接面１６２ｆに形成されている。
【００７１】
また、傾斜部１６４は、当接本体部１６２の先端部からその先端側に向けて、一方側の側部４２の外面から離れる方向に傾斜している。この傾斜部１６４のうち一対の側部４２側の面も、当接本体部の１６２の先端部からその先端側に向けて、一方側の側部４２の外面から離れる方向に傾斜するガイド面１６４ｇに形成されている。なお、基部３８には、当接部１６０を容易に型抜きするための孔部１３８ｈが形成されている。
【００７２】
そして、当接部１６０が一方側の側部４２の外面に接触し始める際には、ガイド面１６４ｇが一方側の側部４２の外面に接触するので、仮に、当接部１６０が一方側の側部４２に近い側に位置していたとしても、当接部１６０と側部４２との突き当りによる干渉が回避され、当接部１６０と一方側の側部４２の外面とを円滑に接触させることができる。
【００７３】
また、挿入側係止部５０と受側係止部４０とが完全に係止された状態では、当接面１６２ｆのほぼ全体が一方側の側部４２の外面全体に接触した状態となる。これにより、当接部１６０の当接面１６２ｆをなるべく大きな面積で、前記一方側の側部４２の外面に当接させることができる。これにより、当接部１６０と一方側の側部４２との当接状態が安定化し、プロテクタ１０を閉じた状態でのプロテクタ１０のがたつき、ずれをより確実に抑制できる。
【００７４】
なお、上記当接部１６０において、傾斜部１６４が省略されていてもよい。
【００７５】
また、上記実施形態及び変形例で説明した各構成は、相互に矛盾しない限り適宜組合わせることができる。例えば、傾斜部１６４の基端部に、前記当接面１６２ｆを一方側の側部４２の外面から離反する方向に変位させる弾性変形部が設けられていてもよい。また、上記当接部６０に、一方側の側部４２の外面に面接触する当接面が設けられていてもよい。
【００７６】
また、上記実施形態では、第１本体部２０と第２本体部３０とがヒンジ部１４を介して連結されている例で説明したが、必ずしもその必要はない。両者は別体として構成されていてもよい。この場合、上記側壁部２６、３６の反対側の側壁部２４、３４に複数の挿入側係止部５０と受側係止部４０との組合わせが設けられていることが好ましい。また、当該複数の挿入側係止部５０と受側係止部４０との組合せに対して、上記と同様に、複数の当接部６０が設けられていることが好ましい。
【００７７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７８】
１０  プロテクタ
１２  本体部
２０  第１本体部
２４、２６  側壁部
２７  第１縁部
３０  第２本体部
３４、３６  側壁部
３７  第２縁部
４０  受側係止部
４２  側部
４５  係止凹部
５０  挿入側係止部
５２  係止本体部
５４  係止突部
６０  当接部
６０ｇ  ガイド面
１６０  当接部
１６２ｆ  当接面
１６４ｇ  ガイド面
ＷＨ  ワイヤーハーネス
【図１】
2013258846.tif 000003
【図２】
2013258846.tif 000004
【図３】
2013258846.tif 000005
【図４】
2013258846.tif 000006
【図５】
2013258846.tif 000007
【図６】
2013258846.tif 000008
【図７】
2013258846.tif 000009
【図８】
2013258846.tif 000010
【図９】
2013258846.tif 000011
【図１０】
2013258846.tif 000012
【図１１】
2013258846.tif 000013
【図１２】
2013258846.tif 000014